(57)【特許請求の範囲】
【請求項１】
建物に設けられた建物外壁パネルと、バルコニーユニットの床部から立ち上げられた手摺の壁部に設けられたバルコニー内壁パネルとで形成される入隅部における建物の水切構造であって、
前記壁部は、前記バルコニー内壁を支持する骨格部材として複数のバルコニー柱を備え、
前記バルコニー内壁パネルと前記床部との間に、内壁下部材が設けられ、
前記建物外壁パネルの下端部と前記床部との間に外壁下部材が設けられ、
前記建物外壁パネルの下部と前記外壁下部材とに密着された防水シートが、前記建物外壁パネルの下端部に沿って設けられ、
前記バルコニー内壁パネルの下部と前記内壁下部材とに密着された内壁防水シートが、前記バルコニー内壁パネルの下端部に沿って設けられ、
前記建物外壁パネルは、前記壁部の端部に対面する位置に開口が設けられ、
前記外壁防水シートには、前記開口から前記壁部に沿って引き出すことが可能な長さの引出防水シートが連続して設けられ、
前記複数のバルコニー柱のうちで最も前記建物外壁パネルに近い位置に配置された端部バルコニー柱と前記開口との間の下部は、前記引出防水シートを引き出すための作業用空間としてバルコニー内側に開放され、
前記作業用空間を塞いで、板状の水切受パネルが設けられ、
前記開口から引き出された前記引出防水シートと前記内壁防水シートとが、相互に重なって密着されているとともに、前記水切受パネルと前記バルコニー内壁パネルとに挟まれて両者に密着され、
前記水切受パネルは、着脱手段により前記端部バルコニー柱に着脱可能に取り付けられていることを特徴とする建物の水切構造。
【請求項２】
前記着脱手段は、前記水切受パネルを前記端部バルコニー柱に接着する接着テープであることを特徴とする請求項１に記載の建物の水切構造。
【請求項３】
前記着脱手段は、前記端部バルコニー柱を挟持可能に前記水切受パネルに設けられた挟持部であり、この挟持部は、前記端部バルコニー柱を挟持したときに前記水切受パネルが前記作業用空間を塞ぐように配置されていることを特徴とする請求項１に記載の建物の水切構造。
【請求項４】
前記水切受パネルは、前記作業用空間を塞ぐ縦面部と、この縦面部の上端から水平方向に折り曲げられた一対の水平部とにより逆Ｌ字状の縦断面形状に形成された部分を備えるとともに、両水平部により前記端部バルコニー柱を挟持可能に、両水平部の間に前記端部バルコニーを挿入する挿入部を備え、
前記縦面部には、前記挿入部の幅が広がる方向に折曲するのを導く折り目が形成されていることを特徴とする請求項３に記載の建物の水切構造。
【請求項５】
前記骨格部材には、水平方向で、前記端部バルコニー柱とこれに隣り合う前記バルコニー柱との間に配置され、かつ、上下方向で、両バルコニー柱の上下を連結する胴縁上部材と胴縁下部材とに架設されて上下方向に延在されたバルコニー内壁受部材が設けられ、
前記バルコニー内壁パネルは、前記作業用空間を含み前記バルコニー内壁受部材よりも前記建物の前記建物外壁パネルに近い側に形成された開放部を覆い、他の部分と分割された内壁上パネルを備えていることを特徴とする請求項１〜請求項４のいずれか１項に記載の建物の水切構造。
【請求項６】
請求項１〜請求項５のいずれか１項に記載の建物の水切構造の施工方法であって、
工場において、建物ユニットに設けられた前記建物外壁パネルに開口が形成され、前記引出防水シートが前記開口内に収容され、かつ、前記バルコニーユニットにおいて、前記壁部の前記バルコニー内壁パネルにおいて少なくとも作業用空間を覆う部分が、前記壁部から取り外された状態とされている一方、前記水切受パネルは、前記バルコニー柱に取り付けられており、
建築現場において、前記建物ユニットと前記バルコニーユニットとを結合させた後に、
前記水切受パネルを前記バルコニー柱から取り外して、前記作業用空間を開放状態とする工程と、
前記引出防水シートを、前記開口から前記作業用空間を介して前記バルコニーユニットの内側へ引き出す工程と、
前記水切受パネルを前記バルコニー柱に再び取り付けた状態とし、さらに、前記内壁防水シートと前記引出防水シートとを重ね合わせて相互に密着させ、前記内壁防水シートの裏面を前記水切受パネルおよび前記内壁下部材に密着させる工程と、
前記取外状態のバルコニー内壁パネルを、前記壁部に固定して、前記内壁防水シートおよび前記引出防水シートに密着させる工程と、
を実行することを特徴とする建物の水切構造の施工方法。
【発明の詳細な説明】
【技術分野】
【０００１】
本発明は、建物の建物外壁パネルとバルコニーユニットの手摺のバルコニー内壁パネルとで形成される入隅部の水切構造に関し、特に、ユニット建物に適用するのに好適な建物の水切構造に関する。
【背景技術】
【０００２】
従来、ユニット建物において、ユニット建物の居室を形成する建物ユニットの外側にバルコニーユニットを結合したものが知られている（例えば、特許文献１参照）。
このようなユニット建物では、外壁パネルの下端部から垂下させた防水シートを、バルコニーユニットの梁材に接着して居室側への水切（雨仕舞い）処理がなされている。
【０００３】
また、このようなユニット建物において、バルコニーに面して水平方向に隣り合う建物ユニットの外壁パネルどうしの間で水切処理を行なう場合に、隣り合う建物ユニットを連結するのに用いる連結具を覆う防水カバーと、隣り合う外壁パネルの防水シートに跨って両防水シートに密着されるとともに、防水カバーに密着される接続用水切材を設け、防水を図ったものも知られている（例えば、特許文献２参照）。さらに、この従来技術では、接続用水切材を、外壁パネルにより形成される入隅部分に設けたものも開示されている。
【先行技術文献】
【特許文献】
【０００４】
【特許文献１】特開平８−３１９７０４号公報
【特許文献２】特許第２７０５８８７号公報
【発明の概要】
【発明が解決しようとする課題】
【０００５】
上述のようなバルコニーユニットが設置された建物において、バルコニーユニットの外周縁に設けられた手摺のバルコニー内壁パネルと、建物外壁パネルとで入隅部が形成される場合がある。
このような入隅部において、上述の水切（雨仕舞い）を行なう場合、前述の従来技術では、箱状の防水カバーを設けるとともに、接続用水切材を、建物外壁パネルから垂下された防水シートと、手摺の内壁パネルから垂下された防水シートに跨って設置することになる。
【０００６】
しかしながら、このような構造では、箱状の防水カバーおよび接続用水切材が必要であり、部品点数が多いとともにその形状が箱状であるため、コストアップを招き、かつ、入隅の下部に防水カバーおよび接続用水切材が箱状に突出しているため、バルコニーの有効な床面積を狭めるという問題を有していた。
【０００７】
本発明は、上述の課題を解決することを目的とするものであり、バルコニーの手摺のバルコニー内壁パネルと建物外壁パネルとで形成される入隅部の水切処理を、バルコニーの有効床面積を狭めることなく安価に達成可能な建物の水切構造を提供することを目的としている。
【課題を解決するための手段】
【０００８】
上記目的を達成するために、請求項１に記載の発明は、建物に設けられた建物外壁パネルと、バルコニーユニットの床部から立ち上げられた手摺の壁部に設けられたバルコニー内壁パネルとで形成される入隅部における建物の水切構造であって、前記壁部は、前記バルコニー内壁を支持する骨格部材として複数のバルコニー柱を備え、前記バルコニー内壁パネルと前記床部との間に、内壁下部材が設けられ、前記建物外壁パネルの下端部と前記床部との間に外壁下部材が設けられ、前記建物外壁パネルの下部と前記外壁下部材とに密着された防水シートが、前記建物外壁パネルの下端部に沿って設けられ、前記バルコニー内壁パネルの下部と前記内壁下部材とに密着された内壁防水シートが、前記バルコニー内壁パネルの下端部に沿って設けられ、前記建物外壁パネルは、前記壁部の端部に対面する位置に開口が設けられ、前記外壁防水シートには、前記開口から前記壁部に沿って引き出すことが可能な長さの引出防水シートが連続して設けられ、前記複数のバルコニー柱のうちで最も前記建物外壁パネルに近い位置に配置された端部バルコニー柱と前記開口との間の下部は、前記引出防水シートを引き出すための作業用空間としてバルコニー内側に開放され、前記作業用空間を塞いで、板状の水切受パネルが設けられ、前記開口から引き出された前記引出防水シートと前記内壁防水シートとが、相互に重なって密着されているとともに、前記水切受パネルと前記バルコニー内壁パネルとに挟まれて両者に密着され、前記水切受パネルは、着脱手段により前記端部バルコニー柱に着脱可能に取り付けられていることを特徴とする。
【０００９】
また、請求項２に記載の発明は、請求項１に記載の建物の水切構造において、前記着脱手段は、前記水切受パネルを前記端部バルコニー柱に接着する接着テープであることを特徴とする。
請求項３に記載の発明は、請求項１に記載の建物の水切構造において、前記着脱手段は、前記端部バルコニー柱を挟持可能に前記水切受パネルに設けられた挟持部であり、この挟持部は、前記端部バルコニー柱を挟持したときに前記水切受パネルが前記作業用空間を塞ぐように配置されていることを特徴とする。
さらに、請求項４に記載の発明は、請求項３に記載の建物の水切構造において、前記水切受パネルは、前記作業用空間を塞ぐ縦面部と、この縦面部の上端から水平方向に折り曲げられた一対の水平部とにより逆Ｌ字状の縦断面形状に形成された部分を備えるとともに、両水平部により前記端部バルコニー柱を挟持可能に、両水平部の間に前記端部バルコニーを挿入する挿入部を備え、前記縦面部には、前記挿入部の幅が広がる方向に折曲するのを導く折り目が形成されていることを特徴とする。
【００１０】
また、請求項５に記載の発明は、請求項１〜請求項４のいずれか１項に記載の建物の水切構造において、前記骨格部材には、水平方向で、前記端部バルコニー柱とこれに隣り合う前記バルコニー柱との間に配置され、かつ、上下方向で、両バルコニー柱の上下を連結する胴縁上部材と胴縁下部材とに架設されて上下方向に延在されたバルコニー内壁受部材が設けられ、前記バルコニー内壁パネルは、前記作業用空間を含み前記バルコニー内壁受部材よりも前記建物の前記建物外壁パネルに近い側に形成された開放部を覆い、他の部分と分割された内壁上パネルを備えていることを特徴とする。
【００１１】
また、請求項６に記載の発明は、請求項１〜請求項５のいずれか１項に記載の建物の水切構造の施工方法であって、工場において、建物ユニットに設けられた前記建物外壁パネルに開口が形成され、前記引出防水シートが前記開口内に収容され、かつ、前記バルコニーユニットにおいて、前記壁部の前記バルコニー内壁パネルにおいて少なくとも作業用空間を覆う部分が、前記壁部から取り外された状態とされている一方、前記水切受パネルは、前記バルコニー柱に取り付けられており、建築現場において、前記建物ユニットと前記バルコニーユニットとを結合させた後に、前記水切受パネルを前記バルコニー柱から取り外して、前記作業用空間を開放状態とする工程と、前記引出防水シートを、前記開口から前記作業用空間を介して前記バルコニーユニットの内側へ引き出す工程と、前記水切受パネルを前記バルコニー柱に再び取り付けた状態とし、さらに、前記内壁防水シートと前記引出防水シートとを重ね合わせて相互に密着させ、前記内壁防水シートの裏面を前記水切受パネルおよび前記内壁下部材に密着させる工程と、前記取外状態のバルコニー内壁パネルを、前記壁部に固定して、前記内壁防水シートおよび前記引出防水シートに密着させる工程と、を実行することを特徴とする。
【発明の効果】
【００１２】
本発明では、入隅部では、建物外壁パネルと外壁下部材とに密着する外壁防水シートに連続する引出防水シートを、建物外壁パネルの開口からバルコニー側に引き出して、バルコニー内壁パネルと内壁下部材とに密着する内壁防水シートに重ね合わせている。したがって、入隅部においても、引出防水シートを介在させることにより、外壁防水シートと内壁防水シートとの連続性を保つことができる。
【００１３】
このように入隅部の水切は、外壁防水シート、内壁防水シート、引出防水シートで行なっており、入隅部から外方に突出する部材を有しないため、バルコニーの有効床面積を狭めることなく安価に水切性能を確保できる。
【００１４】
加えて、端部バルコニー柱と建物外壁パネルの開口との間の下部に形成した作業用空間は、水切受パネルで覆われており、内壁防水シートと引出防水シートとが重なる部分が、表裏面が水切受パネルとバルコニー内壁パネルとに密着されて、入隅部の水切性能を高く保持することができる。
そして、水切受パネルは、端部バルコニー柱に着脱可能としているため、施工時に、必要に応じて水切受パネルを取り外して、作業用空間を開放することができ、水切受パネルが固定されて作業用空間が塞がれたものと比較して、引出防水シートを建物外壁パネルの開口からバルコニー内側へ引き出す際の作業性に優れる。
しかも、引出防水シートの開口からの引出後は、水切受パネルを再び端部バルコニー柱に取り付けることで、作業用空間にバルコニー内壁パネルを取り付けた際の各防水シートとの密着性を確保して、高い水切性能を得ることができる。
【図面の簡単な説明】
【００１５】
【図１】図１は、本発明の実施の形態１の建物の水切構造の施工終了状態の手摺２２の下部を示す断面図であって、図４のＳ１−Ｓ１線の位置での断面を示している。
【図２】図２は、実施の形態１の建物の水切構造の施工終了状態の手摺２２の上部を示す断面図であって、図４のＳ２−Ｓ２線の位置での断面を示している。
【図３】図３は、実施の形態１の建物の水切構造を適用したユニット建物ＵＨの概略を示す平面図である。
【図４】図４は、実施の形態１の建物の水切構造を適用した入隅部Ａの施工途中の状態を示す斜視図である。
【図５】図５は、実施の形態１の建物の水切構造の施工途中状態を示す断面図であって、図４のＳ５−Ｓ５線の位置での断面を示している。
【図６】図６は、実施の形態１の建物の水切構造に用いたバルコニーユニットを示す斜視図であって、バルコニー内壁パネル２５およびバルコニー外壁パネル２６を取り付けていない状態を示している。
【図７】図７は、実施の形態１の建物の水切構造の一部の拡大斜視図である。
【図８】図８は、実施の形態１の建物の水切構造の一部の拡大斜視図である。
【図９】図９は、実施の形態１の建物の水切構造の施工を説明する斜視図である。
【図１０】図１０は、実施の形態１の建物の水切構造の施工を説明する断面図であって、（ａ）は引出防水シート２０ａを開口１１ａを引き出して建物外壁パネル１１側とのシール作業を説明するためのもので、（ｂ）は、内壁上パネル５０を取り付けた状態を示している。
【図１１】図１１は、実施の形態１の建物の水切構造の施工を説明する斜視図である。
【図１２】図１２は、実施の形態２の建物の水切構造に適用したバルコニーユニットを示す斜視図であって、図６と同様にバルコニー内壁パネル２５およびバルコニー外壁パネル２６を取り付けていない状態を示している。
【図１３】図１３は、実施の形態２の建物の水切構造の要部を示す拡大斜視図である。
【発明を実施するための形態】
【００１６】
以下、本発明をユニット建物に適用した実施の形態について、添付図面を参照しながら説明する。
【００１７】
（実施の形態１）
図３は、実施の形態１の建物の水切構造を適用したユニット建物ＵＨの概略平面図である。
このユニット建物ＵＨは、居室（図示省略）を形成する建物ユニットＵ１の外側にバルコニーユニットＵ２を結合して形成されている。
建物ユニットＵ１は、屋外側が図４に示す建物外壁パネル１１で覆われている。また、建物外壁パネル１１は、水平方向に複数のパネルをつなぎ合わせて形成されており、これらの建物外壁パネル１１どうしの間にはガスケット１３が介在されている。
【００１８】
なお、建物ユニットＵ１には、金属フレームで形成された図１，図２に示す柱１２および図示を省略した梁が枠状に組まれている。各建物外壁パネル１１は、それぞれ裏面が金属フレームを四角枠状に組んだ外壁パネルフレーム１２ａにより支持されており、この外壁パネルフレーム１２ａを柱１２および梁に結合させることで、建物外壁パネル１１が、建物ユニットＵ１に固定されている。
【００１９】
バルコニーユニットＵ２は、図５に示す床枠２１ａで形成された構造体の上に床面材２１ｂを設置して形成されて平面視で長方形を成す（図３参照）床部２１と、この床部２１の外周縁部において平面視で長方形の２短辺および１長辺となる位置に立設された図６に示す手摺２２とを備えている。
【００２０】
手摺２２は、骨格部材として水平方向に所定の間隔で立設された複数のバルコニー柱２２ａ，２２Ａと、これらのバルコニー柱２２ａ，２２Ａの下部どうしを連結する胴縁下部材２２ｂと、バルコニー柱２２ａ，２２Ａの上部どうしを連結する胴縁上部材２２ｃとを備え、これら２２ａ，２２Ａ，２２ｂ，２２ｃが枠状に結合されている。なお、複数のバルコニー柱２２ａ，２２Ａのうちで、１本だけ符号が異なるが、その詳細は後述し、バルコニー柱２２ａ，２２Ａの全体を総称する場合は、符号２２Ａの付記を省略することにする。
【００２１】
そして、手摺２２は、バルコニー柱２２ａに挟まれた空間に格子部２３と壁部２４とが設けられている。
格子部２３は、バルコニー柱２２ａ，２２ａに挟まれた空間部分に図示を省略した格子部材が複数立設されている。
【００２２】
壁部２４は、バルコニー柱２２ａに挟まれた空間を、図２に示すバルコニー内壁パネル２５およびバルコニー外壁パネル２６で覆って形成されている。
【００２３】
本実施の形態１では、手摺２２において、平面視で長方形の短辺部分（以下、これを短辺部分と称する）は、図６に示すとおり、壁部２４で形成されている。また、手摺２２において、平面視で長方形の長辺部分（以下、これを長辺部分と称する）は、長手方向の中央部に格子部２３が設けられ、その両端部に壁部２４が設けられている。
なお、壁部２４は、図２に示すように、内外にバルコニー内壁パネル２５とバルコニー外壁パネル２６とが、両者の間に手摺空間部２４ａを形成して設けられている。
【００２４】
また、図６に戻り、手摺２２において、胴縁下部材２２ｂと床部２１との間には、内壁下パネル（内壁下部材）２７が設けられている。なお、この内壁下パネル２７は、胴縁下部材２２ｂにネジ止めなどの結合手段で固定されており、かつ、壁部２４では、その上端部が、バルコニー内壁パネル２５の下端部に覆われている。
【００２５】
また、図４に示すように、建物外壁パネル１１と床部２１との間に、外壁下部材１７が設けられている。この外壁下部材１７は、例えば、建物ユニットＵ１の骨格を形成する梁などであり、その上端部は、水平方向に建物外壁パネル１１で覆われている。
【００２６】
建物外壁パネル１１と外壁下部材１７との間には、外壁防水シート３０が設けられている。この外壁防水シート３０は、屋外側を向いた面が建物外壁パネル１１の内側（例えば、外壁パネルフレーム１２ａの水平方向に延在される部分）にシール材などを介在させて密着され、一方、屋内側を向いた面が外壁下部材１７の外側面にシール材などを介在させて密着されている。
【００２７】
手摺２２の壁部２４においても、バルコニー内壁パネル２５と内壁下パネル２７との間に内壁防水シート４０が設けられている。この内壁防水シート４０は、バルコニー内側を向いた面がバルコニー内壁パネル２５の内側にシール材などを介在させて密着され、一方、バルコニー外側を向いた面が内壁下パネル２７の外側面にシール材などを介在させて密着されている。
【００２８】
次に、建物ユニットＵ１の建物外壁パネル１１と手摺２２の壁部２４とで形成される入隅部Ａの水切構造について説明する。
【００２９】
この説明にあたり、まず、建物ユニットＵ１側の構成について説明する。
建物外壁パネル１１は、図１に示すように、開口１１ａが設けられている。
この開口１１ａは、建物外壁パネル１１を正面から見て、水平方向の左右端縁部の下側を、Ｌ字状に切欠して形成されており、高さ方向と水平方向とで手摺２２の短辺部と重なる範囲に開口されている。
【００３０】
また、この開口１１ａの周縁には、バルコニー手摺見切材１４が設けられている。
このバルコニー手摺見切材１４は、図７に示すように、縦枠１４ａ，１４ｂと上枠１４ｃとにより正面から見て略逆Ｕ字の枠状に形成され、かつ、上方から見下ろしてハット断面形状に形成されている。縦枠１４ａ，１４ｂは、図１に示すように、開口１１ａの左右両側縁に沿って開口１１ａに挿入状態で設置され、上枠１４ｃは、開口１１ａの上縁に沿って開口１１ａに挿入状態で設置されている。なお、縦枠１４ｂのフランジ部分は、開口１１ａの下端部では、図１に示すように切除されている。
【００３１】
図７に戻り、バルコニー手摺見切材１４の上枠１４ｃには、上方から視て略逆Ｕ字状のバルコニー手摺受金具１５が結合されている。バルコニー手摺見切材１４およびバルコニー手摺受金具１５は、建築現場において取り付けられ、さらに、これらのバルコニー手摺見切材１４およびバルコニー手摺受金具１５に固定したバルコニー手摺固定金具１６に、手摺２２の胴縁上部材２２ｃを結合する。
【００３２】
前述した外壁防水シート３０は、工場において設置され、その上端部の屋外側面が、図１に示すように、建物外壁パネル１１の裏面下部の外壁パネルフレーム１２ａにシール材を介して密着されている一方、下端部の屋内側面が、外壁下部材１７にシール材を介して密着されている。
【００３３】
さらに、外壁防水シート３０は、建物外壁パネル１１の開口１１ａの位置で、建物外壁パネル１１の端縁の位置よりも長い余剰分を備えており、この余剰分が引出防水シート３０ａである。この引出防水シート３０ａは、裏面側にあらかじめ図示を省略したシール材が塗布されているとともに、このシール材は、図示を省略した離型紙で覆われている。そして、引出防水シート３０ａは、工場から出荷される際は、開口１１ａ内に収容されている。
【００３４】
次に、入隅部Ａの手摺２２側の構成について説明する。
本実施の形態１では、手摺２２の短辺部には、図６に示すように、複数のバルコニー柱２２ａが立設されている。これらのバルコニー柱２２ａのうち、建物ユニットＵ１に最も近いバルコニー柱２２Ａを以下、端部バルコニー柱と称する。
【００３５】
この端部バルコニー柱２２Ａは、建物外壁パネル１１の表面から、作業用空間ＳＰを介在させた位置に配置されており、この作業用空間ＳＰの室内外方向の寸法Ｌは、具体的には、４０ｍｍ程度の寸法となっている。
また、図６に示す入隅部Ａを形成する手摺２２の端部バルコニー柱２２Ａと隣り合うバルコニー柱２２ａとの間には、図４に示すバルコニー内壁受部材２８が、胴縁下部材２２ｂと胴縁上部材２２ｃとに跨って立設されている。
【００３６】
この手摺２２の短辺部は、壁部２４で形成されているが、工場出荷時には、バルコニー内壁受部材２８よりも建物ユニットＵ１に近い側は、バルコニー内壁パネル２５が設置されず手摺空間部２４ａが開放されて、開放部ＯＰが形成されている。また、この開放部ＯＰを除いて壁部２４には、バルコニー内壁パネル２５とバルコニー外壁パネル２６とが工場で取り付けられている。なお、この開放部ＯＰには、建築現場において、内壁上パネル５０が取り付けられる。
【００３７】
次に、入隅部Ａにおける水切（雨仕舞い）について説明する。
本実施の形態１では、端部バルコニー柱２２Ａの下部に、図８に示す水切受パネル６０が着脱可能に取り付けられている。すなわち、本実施の形態１では、胴縁下部材２２ｂは、各バルコニー柱２２ａを連結しているが、端部バルコニー柱２２Ａよりも建物ユニットＵ１側の作業用空間ＳＰには設けられていない。そこで、本実施の形態１では、作業用空間ＳＰにおいて、内壁防水シート４０、引出防水シート３０ａおよび内壁上パネル５０を面で支持する部材として、胴縁下部材２２ｂに代わって水切受パネル６０が設けられている。
【００３８】
この水切受パネル６０は、金属製の薄板であり、上下方向寸法が、胴縁下部材２２ｂよりも大きく、水平方向の寸法が、図１に示すように、建物外壁パネル１１と端部バルコニー柱２２Ａの建物ユニットＵ１から遠い側の端部との間隔程度の寸法の長方形形状に形成されている。また、本実施の形態１では、水切受パネル６０を端部バルコニー柱２２Ａに着脱可能とする着脱手段として、図８に示す接着テープ６１を用いている。すなわち、水切受パネル６０は、接着テープ６１により端部バルコニー柱２２Ａに接着されており、この接着テープ６１を端部バルコニー柱２２Ａから剥がすことで、水切受パネル６０端部バルコニー柱２２Ａから取り外すことが可能であるとともに、この接着テープ６１を再度、あるいは新たな粘着テープ６１により端部バルコニー柱２２Ａに接着させて、水切受パネル６０を端部バルコニー柱２２Ａに取り付けることが可能となっている。また、図８では図示を省略した内壁防水シート４０は、図１に示すように、水切受パネル６０に重なる位置まで延在されて、水切受パネル６０にシーリング材を介して密着されている。
【００３９】
そして、外壁防水シート３０に連続する引出防水シート３０ａは、開口１１ａから引き出され、水切受パネル６０と水平方向に重なる位置で内壁防水シート４０に重なってシーリング材を介して密着されている。
【００４０】
また、建築現場にて後付される内壁上パネル５０は、図４に示すように、２本のネジ５１により胴縁上部材２２ｃに結合されるとともに、２本のネジ５１によりバルコニー内壁受部材２８に結合され、かつ、水切受パネル６０と水平方向に重なる位置で、シーリング材７１（図９参照）を介して内壁防水シート４０および引出防水シート３０ａに密着される。なお、このシーリング材７１は、上下方向に二重に設けられている。
【００４１】
次に、実施の形態１の建物の水切構造の施工手順を説明する。
（工場における施工）
工場において、建物ユニットＵ１およびバルコニーユニットＵ２を組み立てる。
この場合の、入隅部Ａにおける水切構造に関する構成について、まず、建物ユニットＵ１について説明する。
建物ユニットＵ１では、建物外壁パネル１１に開口１１ａを設け、外壁防水シート３０に連続する余剰分である引出防水シート３０ａは、図１において二点鎖線で示すように、開口１１ａの内部に湾曲させ、あるいは丸めたり折り畳んだりして収容されている。これにより、運搬時に、引出防水シート３０ａが傷付いたり破損したりするのが防止される。なお、この場合、引出防水シート３０ａを、接着テープなどの固定手段により建物ユニットＵ１側に固定しておけば、より好ましい。
【００４２】
バルコニーユニットＵ２は、手摺２２の壁部２４において、図４に示すように、短辺部の建物ユニットＵ１に連続する開放部ＯＰを除いてバルコニー内壁パネル２５およびバルコニー外壁パネル２６を取り付けておく。なお、開放部ＯＰの裏側のバルコニー外壁パネル２６は、図１に示すように壁部２４に取り付けておく。
【００４３】
そして、この開放部ＯＰにおいて端部バルコニー柱２２Ａには、水切受パネル６０を、図８に示すように、その下端面を内壁下パネル２７の上端面に当接あるいは近接させた状態で接着テープ６１により接着しておく。
【００４４】
また、バルコニー内壁パネル２５の下端部裏側と内壁下パネル２７との間に設けられた内壁防水シート４０は、開放部ＯＰでは、図４に示すように、手摺２２の先端まで延在させ、水切受パネル６０にシーリング材を介して密着させておく。
【００４５】
（建築現場の施工）
次に、建築現場の施工について説明する。
建築現場では、建物ユニットＵ１を設置した後、まず、建物外壁パネル１１の開口１１ａに、バルコニー手摺見切材１４およびバルコニー手摺受金具１５をネジで固定する。
その後、バルコニーユニットＵ２を建物ユニットＵ１に結合させる。このとき、バルコニーユニットＵ２の手摺２２は、その短辺部の先端が、図４に示すように、建物外壁パネル１１の開口１１ａに対向して配置される。
【００４６】
そして、バルコニー手摺固定金具１６を、図２に示すようにバルコニー手摺受金具１５に差し込んでネジにより固定し、さらに、このバルコニー手摺固定金具１６を、手摺２２の胴縁上部材２２ｃにネジにより固定する。
【００４７】
このようにして、バルコニーユニットＵ２の設置を終えると、入隅部Ａの水切構造部分の施工を行う。
【００４８】
この施工では、まず、接着テープ６１を端部バルコニー柱２２Ａから剥がして、水切受パネル６０を端部バルコニー柱２２Ａから取り外し、作業用空間ＳＰを、バルコニー内側に対して開放した状態とする。なお、この場合、内壁防水シート４０において、水切受パネル６０に密着された部分も、この水切受パネル６０と共に作業用空間ＳＰから離れて作業用空間ＳＰを開放した状態となる。
【００４９】
次に、図１において二点鎖線で示すように建物外壁パネル１１の開口１１ａに収容されている外壁防水シート３０の引出防水シート３０ａを矢印Ｙ１で示すように開口１１ａから引き出す。この場合、作業用空間ＳＰは、建物外壁パネル１１と端部バルコニー柱２２Ａとの間隔が４０ｍｍ程度の狭い空間であるが、水切受パネル６０を取り外して開放状態となっているため、この引出防水シート３０ａの引出作業を容易に行うことができる。このとき、引出防水シート３０ａにおいて、内壁下パネル２７と高さ方向に重なる部分は、内壁下パネル２７と外壁下部材１７との間に形成された微小な隙間を通して配置する。
【００５０】
このようにして、引出防水シート３０ａの引出作業を終了したら、図１０（ａ）に示すように、外壁パネルフレーム１２ａと引出防水シート３０ａとの間に、シーリング材７２を充填してシールを行う。
【００５１】
次に、再び、水切受パネル６０を、接着テープ６１で端部バルコニー柱２２Ａの元の位置に固定する。この場合、一端剥がした接着テープ６１を用いて接着してもよいし、その接着力が不十分な場合は、新たな接着テープ６１を用いて接着してもよい。
そして、引出防水シート３０ａの裏面に設けられたシーリング材（図示省略）を覆う離型紙（図示省略）を剥がし、引出防水シート３０ａを、水切受パネル６０と重なる位置で内壁防水シート４０に密着させる。
【００５２】
次に、図９に示すように、各防水シート３０，３０ａ，４０よりも下方位置で、外壁下部材１７と内壁下パネル２７で形成されている入隅部Ａの微小な隙間部分に、シーリング材７３を充填してシールを行う。
【００５３】
次に、内壁上パネル５０を、壁部２４の開放部ＯＰに取り付ける。
この場合、まず、図４に示すように、バルコニー内壁受部材２８のバルコニー内側を向いた側面にシーリング材７５を塗布するとともに、図１０（ｂ）に示す一点鎖線Ｓで示す範囲において、引出防水シート３０ａおよび内壁防水シート４０にシーリング材を塗布する。この場合、本実施の形態１では、引出防水シート３０ａおよび内壁防水シート４０に塗布するシーリング材７１は、図９に示すように、上下に２条塗布する。
そして、内壁上パネル５０の上部２カ所を、胴縁上部材２２ｃにネジ５１で固定し、さらに、下部の２カ所を、バルコニー内壁受部材２８にネジ５１で固定する。
【００５４】
次に、図１１に示すように、内壁上パネル５０とバルコニー内壁パネル２５との間の目地部分５２、内壁上パネル５０と建物外壁パネル１１との間の目地部分５３、手摺２２の上部と建物外壁パネル１１との目地部分５４および図外のバルコニー外壁パネル２６と建物外壁パネル１１との間の目地部分にシーリング材７７を充填してシールを行う。
【００５５】
（実施の形態１の作用効果）
以上のようにして形成された実施の形態１の建物の水切構造では、外壁防水シート３０と内壁防水シート４０とは、それぞれ、上部の外側面は、建物外壁パネル１１およびバルコニー内壁パネル２５とに密着され、下部の内側面は、外壁下部材１７および内壁下パネル２７に密着され、水切性能を確保できる。
【００５６】
さらに、入隅部Ａでは、外壁防水シート３０を延長させて連続させた引出防水シート３０ａを建物外壁パネル１１の開口１１ａからバルコニー内側へ引き出して、内壁防水シート４０に重ね合わせることで、外壁防水シート３０と内壁防水シート４０との連続性を保って水切性能を確保できる。このように、入隅部Ａにおける水切性能の確保を、外壁防水シート３０と内壁防水シート４０との連続性を保つことで行っており、入隅部Ａから外方に突出する部材を用いていないため、バルコニーの有効床面積を狭めることがないとともに、安価に実施することができる。
また、端部バルコニー柱２２Ａと建物外壁パネル１１の開口１１ａとの間に形成した作業用空間ＳＰには、水切受パネル６０が取り付けられており、引出防水シート３０ａと内壁防水シート４０とが重なる部分は、表裏面が水切受パネル６０と内壁上パネル５０とに挟まれた状態で密着されるため、入隅部Ａの水切性能を高く保持することができる。
そして、水切受パネル６０は、端部バルコニー柱２２Ａに着脱可能としているため、建築現場での施工時に、必要に応じて水切受パネル６０を端部バルコニー柱２２Ａから取り外して作業用空間ＳＰを開放することができ、水切受パネル６０が固定されて作業用空間ＳＰの下部が閉ざされているものと比較して、開口１１ａから引出防水シート３０ａを引き出す作業が容易となる。
加えて、水切受パネル６０を端部バルコニー柱２２Ａに着脱可能とするのにあたり、接着テープ６１を用いているため、この着脱にネジなどを用いるのと比較して、着脱が容易であり、この点でも作業性に優れる。また、接着テープ６１をいったん端部バルコニー柱２２Ａから剥がした後に、再度、端部バルコニー柱２２Ａに接着させる際に、この剥がした接着テープ６１の粘着性が不十分な場合には、その場で、新たな接着テープ６１を用いて水切受パネル６０を端部バルコニー柱２２Ａに接着させることも容易に行うことができ、この点でも作業性に優れる。
【００５７】
（実施の形態２）
次に、実施の形態２の建物の水切構造について説明する。
なお、実施の形態２は、実施の形態１の変形例であるため、実施の形態１との相違点のみを説明し、実施の形態１と同様の構成を図示する場合には実施の形態１と同じ符号を付けて説明を省略する。また、実施の形態１と同様の作用効果についても説明を省略する。
【００５８】
実施の形態２は、着脱手段が実施の形態１と異なっており、図１２，図１３に示す、水切受パネル２６０に、図１３に示すように着脱手段ならびに挟持部としての一対の水平部２６３，２６３および挿入部としての切欠部２６１を設けたものである。
【００５９】
この水切受パネル２６０は、作業用空間を塞ぐ縦面部２６２と、この縦面部２６２の上端から水平方向に折り曲げられた一対の水平部２６３，２６３とにより逆Ｌ字状の縦断面形状に形成された部分を備えている。
そして、両水平部２６３，２６３の間に切欠部２６１を形成するとともに、この切欠部２６１の幅を、端部バルコニー柱２２Ａの幅よりも僅かに広い幅に形成しており、この切欠部２６１の両側の一対の水平部２６３，２６３により端部バルコニー柱２２Ａを挟持可能に形成している。
【００６０】
さらに、縦面部２６２には、一対の折り目２６４，２６４が、切欠部２６１の幅方向両端から縦方向に沿って形成されている。これにより、縦面部２６２がある程度の厚みを有していても、縦面部２６２を、図１３の二点鎖線で示すように折り曲げて切欠部２６１の幅を広げることができる。
【００６１】
次に、実施の形態２の作用を説明する。
実施の形態２では、工場においてバルコニーユニットＵ２を組み立てるのにあたり、水切受パネル２６０を、図１２に示すように、端部バルコニー柱２２Ａに取り付ける際には、水切受パネル２６０の縦面部２６２を、図１３において二点鎖線で示すように、折り目２６４，２６４の位置で折り曲げるように弾性変形させて切欠部２６１の幅を広げる。さらに、この状態で切欠部２６１に端部バルコニー柱２２Ａに挿入させるようにして、水切受パネル２６０を端部バルコニー柱２２Ａに装着する。そして、縦面部２６２を折り曲げるために入力していた力を抜くと、縦面部２６２が復元して平面状態となるのに伴って、切欠部２６１の幅が狭まり、一対の水平部２６３が端部バルコニー柱２２Ａを挟持する。
したがって、水切受パネル２６０は、端部バルコニー柱２２Ａに装着された状態に維持される。
【００６２】
次に、建築現場において、バルコニーユニットＵ２の設置後、入隅部Ａの水切構造部分の施工を行う場合、まず、水切受パネル２６０の縦面部２６２を折り目２６４の位置で折り曲げて切欠部２６１の幅を広げ、水切受パネル２６０を端部バルコニー柱２２Ａからいったん取り外し、作業用空間ＳＰを、バルコニー内側に対して開放した状態とする。
【００６３】
そして、実施の形態１と同様に、建物外壁パネル１１の開口１１ａに収容されている外壁防水シート３０の引出防水シート３０ａを引き出す。
【００６４】
その後、再び、水切受パネル２６０の縦面部２６２を、折り目２６４から折り曲げ弾性変形させて切欠部２６１の幅を広げ、切欠部２６１に端部バルコニー柱２２Ａを挿入するようにして水切受パネル２６０を端部バルコニー柱２２Ａの元の位置に装着し、縦面部２６２を復元させて水切受パネル２６０を端部バルコニー柱２２Ａに固定する。
そして、引出防水シート３０ａの裏面に設けられたシーリング材（図示省略）を覆う離型紙（図示省略）を剥がし、引出防水シート３０ａを、水切受パネル２６０の縦面部２６２と重なる位置で内壁防水シート４０に密着させる。このとき、水切受パネル２６０は、Ｌ字断面形状に形成されているため、平面形状の場合と比較して、引出防水シート３０ａを密着させる押圧力を加えても折れ曲がりにくく、高い密着性を得ることができる。
【００６５】
以上のように、実施の形態２では、着脱手段として、水切受パネル２６０に切欠部２６１およびこれを挟む一対の水平部２６３，２６３を形成し、水平部２６３，２６３の間に端部バルコニー柱２２Ａを挟むようにしたため、水切受パネル２６０の端部バルコニー柱２２Ａへの着脱操作性に優れる。
しかも、水切受パネル２６０の縦面部２６２には、切欠部２６１の幅方向両端に一致する位置に、切欠部２６１の幅を広げる方向の折曲を導く一対の折り目２６４，２６４を形成したため、縦面部２６２の厚さを、引出防水シート３０ａと内壁防水シート４０とを密着させるのに必要な厚さに形成しても、縦面部２６２のスムーズな折り曲げが可能となり、その点でも着脱操作性に優れる。
【００６６】
さらに、挟持部として縦面部２６２に連続して折り曲げられた水平部２６３を用いたため、水切受パネル２６０が水平部２６３，２６３の部分ではＬ字断面形状に形成され、水平部２６３，２６３を有しない形状と比較して、縦面部２６２の剛性が向上し、引出防水シート３０ａを内壁防水シート４０に密着させる際の支持剛性が向上し、両シート３０ａ、４０の密着性が向上する。
【００６７】
以上、本発明の実施の形態について説明したが、本発明はこうした実施の形態に限定されるものではなく、本発明の要旨を逸脱しない範囲内において種々の変形および置換を加えることができる。
【００６８】
例えば、実施の形態では、建物として、ユニット建物を示したが、建物としてはこれに限定されるものではなく、本発明は、施工の全てを建築現場にて行う在来工法その他のユニット建物以外の建物にも適用することができる。
また、実施の形態では、引出防水シートとして、外壁防水シート３０を延長して外壁防水シート３０と一体の引出防水シート３０ａを示したが、引出防水シートとしてはこれに限定されず、外壁防水シートとは別体のものを、外壁防水シートに連続して設けておき、これを内壁防水シートに重ねて密着させるようにしてもよい。この場合、引出防水シートとして、外壁防水シートとは異なり、入隅部Ａに用いるのに最適な材質や厚さを含む寸法のものを用いることもできる。
【００６９】
また、水切受パネルとしても、実施の形態で示したものとは、形状や寸法が異なるものを用いてもよい。
【００７０】
さらに、水切受パネルを端部バルコニー柱に着脱可能に取り付ける着脱手段として、実施の形態では、接着テープ６１ならびに切欠部２６１を示したが、これらに限定されるものではない。例えば、着脱を行っても接着性を維持可能な両面テープを用いたり、ネジなどの締結手段を用いたり、突起と穴や嵌合凸部と嵌合受部などによる係合手段を用いたりすることができる。
【００７１】
また、建物ユニットとバルコニーユニットの形状なども、実施の形態で示した形状に限定されるものではなく、要は、両者で形成される入隅部を備えたものであれば、本発明を適用することができる。
【００７２】
また、実施の形態２では、挿入部としての水平部２６３，２６３と切欠部２６１とを、縦面部２６２の全長に亘って設けた例を示したが、これらは縦面部２６２の一部に設けてもよい。
さらに、挟持部としては、実施の形態２で示したように、縦面部２６２に連続する水平部２６３，２６３により形成する以外にも、縦面部２６２とは別体の部材を用いて端部バルコニー柱を挟持するようにしてもよい。
【符号の説明】
【００７３】
１１   建物外壁パネル
１１ａ 開口
１７   外壁下部材
２１   床部
２２   手摺
２２Ａ 端部バルコニー柱
２２ａ バルコニー柱
２２ｂ 胴縁下部材
２２ｃ 胴縁上部材
２４   壁部
２５   バルコニー内壁パネル
２７   内壁下パネル（内壁下部材）
２８   バルコニー内壁受部材
３０   外壁防水シート
３０ａ 引出防水シート
４０   内壁防水シート
５０   内壁上パネル
６０   水切受パネル
６１   接着テープ（着脱手段）
２６０ 水切受パネル
２６１ 切欠部（挿入部）
２６２ 縦面部
２６３ 水平部（着脱手段；挟持部）
２６４ 折り目
Ａ     入隅部
Ｈ     ユニット建物
ＯＰ   開放部
ＳＰ   作業用空間
Ｕ１   建物ユニット
Ｕ２   バルコニーユニット
ＵＨ   ユニット建物
【図１】
0005671330.tif 000002
【図２】
0005671330.tif 000003
【図３】
0005671330.tif 000004
【図４】
0005671330.tif 000005
【図５】
0005671330.tif 000006
【図６】
0005671330.tif 000007
【図７】
0005671330.tif 000008
【図８】
0005671330.tif 000009
【図９】
0005671330.tif 000010
【図１０】
0005671330.tif 000011
【図１１】
0005671330.tif 000012
【図１２】
0005671330.tif 000013
【図１３】
0005671330.tif 000014